(57)【要約】【課題】撮影システムにおいて、好適な画角調整を可能にすること。【解決手段】撮影システム１において、デジタルズーム制御部１５６は、撮像装置１００によって撮像された画像の範囲をトリミングすることで画角調整する。画像データ送信部１５９は、撮像された画像を情報処理装置２００へ送信する。光学ズーム制御部１５５は、撮像される画像について、光学系部材を用いて画角調整する。画角指示検出部２５１は、撮像された画像について、画角調整指示を検出する。出力部２１８は、画角調整指示の検出に応答してデジタルズーム制御部１５６によって画角調整された画像を出力する。画像記録制御部１５８は、出力部２１８によって、画角調整された画像が出力された後に、デジタルズーム制御部１５６による調整結果に相当する画角調整を光学ズーム制御部１５５で行ってから画像を記録する。【選択図】図４
2015118309.tif 000002
【特許請求の範囲】
【請求項１】
撮像装置と当該撮像装置を遠隔制御する遠隔制御装置とを含み、当該撮像装置によって撮像された画像の範囲をトリミングすることで画角調整する第１の調整手段を備える撮影システムであって、
前記撮像装置は、
撮像手段と、
この撮像手段によって撮像された画像を前記遠隔制御装置へ送信する送信手段と、
光学系部材と、
撮像される画像について、前記光学系部材を用いて画角調整する第２の調整手段と、
を備え、
前記遠隔制御装置は、
前記撮像装置の前記撮像手段によって撮像された画像について、画角調整指示を検出する検出手段と、
この検出手段による当該画角調整指示の検出に応答して前記第１の調整手段によって画角調整された画像を出力する出力手段と、を備え、
前記撮像装置は更に、
前記出力手段によって、画角調整された画像が出力された後に、前記第１の調整手段による調整結果に相当する画角調整を前記第２の調整手段で行ってから画像を記録する記録制御手段と、
を備えることを特徴とする撮影システム。
【請求項２】
前記撮像装置は、
前記出力手段によって画角調整された画像が出力された後に、記録準備指示を検出すると、前記第１の調整手段による調整結果に相当する画角調整を前記第２の調整手段で行うよう制御する第１の調整制御手段を更に備え、
前記記録制御手段は、記録指示を検出すると前記第１の調整制御手段によって調整された状態で画像を記録することを特徴とする請求項１に記載の撮影システム。
【請求項３】
前記撮像装置は、
前記出力手段によって画角調整された画像が出力された後に、その状態が所定期間維持されると、前記第１の調整手段による調整結果に相当する画角調整を前記第２の調整手段で行うよう制御する第２の調整制御手段を更に備え、
前記記録制御手段は、記録指示を検出すると前記第２の調整制御手段によって調整された状態で画像を記録することを特徴とする請求項１に記載の撮影システム。
【請求項４】
前記第１の調整手段は前記撮像装置が備え、
前記遠隔制御装置は、
前記検出手段によって検出された前記画角調整指示を、前記撮像装置へ送信する第１の指示送信手段を更に備えることを特徴とする請求項１から３のいずれか１項に記載の撮影システム。
【請求項５】
前記第１の調整手段は前記遠隔制御装置が備え、
前記遠隔制御装置は、更に、
前記検出手段によって検出された前記画角調整指示に基づき、前記送信手段から送信された画像について前記第１の調整手段を動作させる動作制御手段を備えることを特徴とする請求項１から３のいずれか１項に記載の撮影システム。
【請求項６】
前記遠隔制御装置は、前記撮像装置に対して、画像の記録指示を行い、
前記撮像装置は、前記遠隔制御装置によって行われた記録指示を受けて、画像の記録を実行することを特徴とする請求項１から５のいずれか１項に記載の撮影システム。
【請求項７】
前記撮像装置は、記録された画像を遠隔制御装置へ送信することを特徴とする請求項１から６のいずれか１項に記載の撮影システム。
【請求項８】
前記撮像装置は、
当該撮像装置が消費可能な電力消費量に関する情報を取得する電力管理手段と、
この消費可能な電力消費量が所定値以上である場合には、前記検出手段による画角調整指示を受けると、前記第２の調整手段による画角調整を行ってその調整結果に基づく画像を出力する第２の出力手段と、
前記画角調整の後、記録指示を受けると、その画角調整結果で画像を記録する第２の記録制御手段と、
を更に備えることを特徴とする請求項１から７のいずれか１項に記載の撮影システム。
【請求項９】
撮像装置と当該撮像装置を遠隔制御する遠隔制御装置とを含む撮影システムにおける撮像装置であって、
撮像手段と、
この撮像手段によって撮像された画像を前記遠隔制御装置へ送信する送信手段と、
前記遠隔制御装置から送信された制御信号を受信する受信手段と、
この受信手段によって受信された制御信号の内容に基づいて、前記撮像手段によって撮像された画像の範囲をトリミングすることで画角調整する第１の調整手段と、
光学系部材と、
撮像される画像について、前記光学系部材を用いて画角調整する第２の調整手段と、
前記第１の調整手段によって画角調整された画像が前記送信手段によって送信された後に、前記第１の調整手段による調整結果に相当する画角調整を前記第２の調整手段で行ってから画像を記録する記録制御手段と、
を備えることを特徴とする撮像装置。
【請求項１０】
前記第１の調整手段によって画角調整された画像が出力された後に、記録準備指示を検出すると、前記第１の調整手段による調整結果に相当する画角調整を前記第２の調整手段で行うよう制御する第１の調整制御手段を更に備え、
前記記録制御手段は、記録指示を検出すると前記第１の調整制御手段によって調整された状態で画像を記録することを特徴とする請求項９に記載の撮像装置。
【請求項１１】
前記第１の調整手段によって画角調整された画像が出力された後に、その状態が所定期間維持されると、前記第１の調整手段による調整結果に相当する画角調整を前記第２の調整手段で行うよう制御する第２の調整制御手段を更に備え、
前記記録制御手段は、記録指示を検出すると前記第２の調整制御手段によって調整された状態で画像を記録することを特徴とする請求項９に記載の撮像装置。
【請求項１２】
前記記録制御手段は、前記遠隔制御装置によって行われた記録指示を受けて、画像の記録を実行することを特徴とする請求項９から１１のいずれか１項に記載の撮像装置。
【請求項１３】
前記送信手段は、記録された画像を遠隔制御装置へ送信することを特徴とする請求項９から１２のいずれか１項に記載の撮像装置。
【請求項１４】
前記撮像装置は当該装置が消費可能な電力消費量に関する情報を取得する電力管理手段と、
この消費可能な電力消費量が所定値以上である場合には、画角調整指示を受けると、前記第２の調整手段による画角調整を行ってその調整結果に基づく画像を出力する第２の出力手段と、
前記画角調整の後、記録指示を受けると、その画角調整結果で画像を記録する第２の記録制御手段と、
を更に備えることを特徴とする請求項９から１３のいずれか１項に記載の撮像装置。
【請求項１５】
撮像装置と当該撮像装置を遠隔制御する遠隔制御装置とを含む撮影システムにおける遠隔制御装置であって、
前記撮像装置によって撮像された画像について、画角調整指示を検出する検出手段と、
前記撮像装置によって撮像された画像の範囲をトリミングすることで画角調整する第１の調整手段と、
前記検出手段による当該画角調整指示の検出に応答して前記第１の調整手段によって画角調整された画像を出力する出力手段と、
前記第１の調整手段による調整結果を前記撮像装置へ送信し、この調整結果に相当する画角調整を前記撮像装置において光学系部材を用いて調整させるよう制御する調整制御手段と、
を備えることを特徴とする遠隔制御装置。
【請求項１６】
前記調整制御手段によって調整された画角の画像を取得する画像取得手段を更に備えることを特徴とする請求項１５に記載の遠隔制御装置。
【請求項１７】
前記検出手段は、前記出力手段によって画角調整された画像が出力された後に、画像の記録準備指示あるいは画像の記録指示を更に検出し、
前記撮像装置に対して、検出した前記記録準備指示あるいは前記記録指示を行うことを特徴とする請求項１５または１６に記載の遠隔制御装置。
【請求項１８】
前記検出手段によって検出された前記画角調整指示に基づき、前記撮像装置から送信された画像について前記第１の調整手段を動作させる動作制御手段を備えることを特徴とする請求項１５から１７のいずれか１項に記載の遠隔制御装置。
【請求項１９】
撮像装置と当該撮像装置を遠隔制御する遠隔制御装置とを含み、当該撮像装置によって撮像された画像の範囲をトリミングすることで画角調整する第１の調整ステップを実行する撮影システムにおける撮影方法であって、
前記撮像装置において、
撮像手段によって撮像された画像を前記遠隔制御装置へ送信する送信ステップと、
撮像される画像について、光学系部材を用いて画角調整する第２の調整ステップと、
を含み、
前記遠隔制御装置において、
前記撮像装置の撮像手段によって撮像された画像について、画角調整指示を検出する検出ステップと、
当該画角調整指示の検出に応答して前記第１の調整ステップにおいて画角調整された画像を出力する出力ステップと、を含み、
前記撮像装置において、更に、
前記出力ステップにおいて画角調整された画像が出力された後に、前記第１の調整ステップにおける調整結果に相当する画角調整を前記第２の調整ステップで行ってから画像を記録する記録制御ステップと、
を含むことを特徴とする撮影方法。
【請求項２０】
撮像装置と当該撮像装置を遠隔制御する遠隔制御装置とを含む撮影システムにおける撮像装置が実行する撮影方法であって、
撮像手段によって撮像された画像を前記遠隔制御装置へ送信する送信ステップと、
前記遠隔制御装置から送信された制御信号を受信する受信ステップと、
この受信ステップにて受信された制御信号の内容に基づいて、前記撮像手段によって撮像された画像の範囲をトリミングすることで画角調整する第１の調整ステップと、
撮像される画像について、光学系部材を用いて画角調整する第２の調整ステップと、
前記第１の調整ステップにて画角調整された画像が前記送信ステップにて送信された後に、前記第１の調整ステップでの調整結果に相当する画角調整を前記第２の調整ステップで行ってから画像を記録する記録制御ステップと、
を含むことを特徴とする撮影方法。
【請求項２１】
撮像装置と当該撮像装置を遠隔制御する遠隔制御装置とを含む撮影システムにおける遠隔制御装置が実行する撮影方法であって、
前記撮像装置によって撮像された画像について、画角調整指示を検出する検出ステップと、
前記撮像装置によって撮像された画像の範囲をトリミングすることで画角調整する調整ステップと、
前記検出ステップにおける当該画角調整指示の検出に応答して前記調整ステップにおいて画角調整された画像を出力する出力ステップと、
前記調整ステップでの調整結果を前記撮像装置へ送信し、この調整結果に相当する画角調整を前記撮像装置において光学系部材を用いて調整させるよう制御する調整制御ステップと、
を含むことを特徴とする撮影方法。
【請求項２２】
撮像装置と当該撮像装置を遠隔制御する遠隔制御装置とを含む撮影システムにおける撮像装置を制御するコンピュータを、
撮像手段によって撮像された画像を前記遠隔制御装置へ送信する送信手段、
前記遠隔制御装置から送信された制御信号を受信する受信手段、
この受信手段によって受信された制御信号の内容に基づいて、前記撮像手段によって撮像された画像の範囲をトリミングすることで画角調整する第１の調整手段、
撮像される画像について、光学系部材を用いて画角調整する第２の調整手段、
前記第１の調整手段によって画角調整された画像が前記送信手段によって送信された後に、前記第１の調整手段による調整結果に相当する画角調整を前記第２の調整手段で行ってから画像を記録する記録制御手段、
として機能させることを特徴とするプログラム。
【請求項２３】
撮像装置と当該撮像装置を遠隔制御する遠隔制御装置とを含む撮影システムにおける遠隔制御装置を制御するコンピュータを、
前記撮像装置によって撮像された画像について、画角調整指示を検出する検出手段、
前記撮像装置によって撮像された画像の範囲をトリミングすることで画角調整する調整手段、
前記検出手段による当該画角調整指示の検出に応答して前記調整手段によって画角調整された画像を出力する出力手段、
前記調整手段による調整結果を前記撮像装置へ送信し、この調整結果に相当する画角調整を前記撮像装置において光学系部材を用いて調整させるよう制御する調整制御手段、
として機能させることを特徴とするプログラム。
【発明の詳細な説明】
【技術分野】
【０００１】
本発明は、撮像装置を遠隔制御して撮影する撮影システム、撮像装置、遠隔制御装置、撮影方法及びプログラムに関する。
【背景技術】
【０００２】
近年、撮像装置を遠隔制御して撮影するシステムが考えられている。
例えば、特許文献１においては、複数のカメラによる無線を利用したペアリングによって、一方のカメラが他方のカメラを遠隔制御し、撮影する技術が開示されている。
【先行技術文献】
【特許文献】
【０００３】
【特許文献１】特開２０１１−１７２０９４号公報
【発明の概要】
【発明が解決しようとする課題】
【０００４】
しかしながら、このような撮影におけるズーム操作は、操作タイミングと画角調整結果が反映されるまでにタイムラグが生じる他、頻繁にズームモータを駆動させることにより無駄な電力を消費してしまうという問題がある。
【０００５】
本発明は、このような状況に鑑みてなされたものであり、撮影システムにおいて、好適な画角調整を可能にすることを目的とする。
【課題を解決するための手段】
【０００６】
上記目的を達成するため、本発明の一態様の撮影システムは、
撮像装置と当該撮像装置を遠隔制御する遠隔制御装置とを含み、当該撮像装置によって撮像された画像の範囲をトリミングすることで画角調整する第１の調整手段を備える撮影システムであって、
前記撮像装置は、
撮像手段と、
この撮像手段によって撮像された画像を前記遠隔制御装置へ送信する送信手段と、
光学系部材と、
撮像される画像について、前記光学系部材を用いて画角調整する第２の調整手段と、
を備え、
前記遠隔制御装置は、
前記撮像装置の前記撮像手段によって撮像された画像について、画角調整指示を検出する検出手段と、
この検出手段による当該画角調整指示の検出に応答して前記第１の調整手段によって画角調整された画像を出力する出力手段と、を備え、
前記撮像装置は更に、
前記出力手段によって、画角調整された画像が出力された後に、前記第１の調整手段による調整結果に相当する画角調整を前記第２の調整手段で行ってから画像を記録する記録制御手段と、
を備えることを特徴とする。
【発明の効果】
【０００７】
本発明によれば、撮影システムにおいて、好適な画角調整を行うことが可能となる。
【図面の簡単な説明】
【０００８】
【図１】本発明の一実施形態に係る撮影システムの全体構成を示すシステム構成図である。
【図２】本発明の一実施形態に係る撮像装置のハードウェアの構成を示すブロック図である。
【図３】本発明の一実施形態に係る情報処理装置のハードウェアの構成を示すブロック図である。
【図４】撮像装置の機能的構成のうち、撮影処理を実行するための機能的構成を示す機能ブロック図である。
【図５】情報処理装置の機能的構成のうち、撮影制御処理を実行するための機能的構成を示す機能ブロック図である。
【図６】図４の機能的構成を有する図２の撮像装置のＣＰＵが実行する撮影処理の流れを説明するフローチャートである。
【図７】図５の機能的構成を有する図３の情報処理装置が実行する撮影制御処理の流れを説明するフローチャートである。
【図８】第２実施形態に係る撮像装置の機能的構成のうち、撮影処理を実行するための機能的構成を示す機能ブロック図である。
【図９】第２実施形態に係る情報処理装置の機能的構成のうち、撮影制御処理を実行するための機能的構成を示す機能ブロック図である。
【図１０】図８の機能的構成を有する図２の撮像装置が実行する撮影処理の流れを説明するフローチャートである。
【図１１】図９の機能的構成を有する図３の情報処理装置が実行する撮影制御処理の流れを説明するフローチャートである。
【図１２】図４の機能的構成を有する図２の撮像装置が実行する撮影処理の流れを説明するフローチャートである。
【発明を実施するための形態】
【０００９】
以下、本発明の実施形態について、図面を用いて説明する。
【００１０】
［第１実施形態］
［ハードウェア構成］
図１は、本発明の一実施形態に係る撮影システム１の全体構成を示すシステム構成図である。
撮影システム１は、撮像装置１００と、情報処理装置２００とを含んで構成され、撮像装置１００と情報処理装置２００とは、ブルートゥースあるいはＷｉＦｉ（Ｗｉｒｅｌｅｓｓ  Ｆｉｄｅｌｉｔｙ）等の無線通信によって通信可能に構成されている。
【００１１】
図２は、本発明の一実施形態に係る撮像装置１００のハードウェアの構成を示すブロック図である。
撮像装置１００は、例えばデジタルカメラとして構成される。本実施形態における撮像装置１００は、デジタルカメラのうち、身体に装着して使用されるウェアラブルカメラであるものとする。
【００１２】
撮像装置１００は、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、撮像部１１６と、入力部１１７と、出力部１１８と、記憶部１１９と、通信部１２０と、ドライブ１２１と、を備えている。
【００１３】
ＣＰＵ１１１は、ＲＯＭ１１２に記録されているプログラム、または、記憶部１１９からＲＡＭ１１３にロードされたプログラムに従って各種の処理を実行する。例えば、ＣＰＵ１１１は、後述する撮影処理のためのプログラムに従って、撮影処理を実行する。
【００１４】
ＲＡＭ１１３には、ＣＰＵ１１１が各種の処理を実行する上において必要なデータ等も適宜記憶される。例えば、ＲＡＭ１１３には、撮像部１１６によって出力された撮像画像のデータ（後述）が記憶される。
【００１５】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、撮像部１１６、入力部１１７、出力部１１８、記憶部１１９、通信部１２０及びドライブ１２１が接続されている。
【００１６】
撮像部１１６は、光学レンズ部１１６ａと、イメージセンサ１１６ｂと、を備えている。
【００１７】
光学レンズ部１１６ａは、被写体を撮影するために、光を集光するレンズ、例えばフォーカスレンズやズームレンズ等で構成される。
フォーカスレンズは、イメージセンサ１１６ｂの受光面に被写体像を結像させるレンズである。ズームレンズは、焦点距離を一定の範囲で自在に変化させるレンズである。
光学レンズ部１１６ａにはまた、必要に応じて、フォーカス、露出、ホワイトバランス等の設定パラメータを調整する周辺回路が設けられる。
【００１８】
イメージセンサ１１６ｂは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部１１６ａから被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１１６の出力信号として出力される。
このような撮像部１１６の出力信号を、以下、「撮像画像のデータ」と呼ぶ。撮像画像のデータは、ＣＰＵ１１１等に適宜供給される。
【００１９】
入力部１１７は、各種釦等で構成され、ユーザの指示操作に応じて各種情報を入力する。
出力部１１８は、ディスプレイやスピーカ等で構成され、画像や音声を出力する。
記憶部１１９は、ＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部１２０は、無線通信等によるネットワークを介して他の装置との間で行う通信を制御する。
【００２０】
ドライブ１２１には、磁気ディスク、光ディスク、光磁気ディスク、あるいは半導体メモリ等よりなる、リムーバブルメディア１３１が適宜装着される。ドライブ１２１によってリムーバブルメディア１３１から読み出されたプログラムは、必要に応じて記憶部１１９にインストールされる。また、リムーバブルメディア１３１は、記憶部１１９に記憶されている画像のデータ等の各種データも、記憶部１１９と同様に記憶することができる。
【００２１】
次に、情報処理装置２００の構成について説明する。
図３は、本発明の一実施形態に係る情報処理装置２００のハードウェアの構成を示すブロック図である。
情報処理装置２００は、撮像装置１００を遠隔制御する遠隔制御装置として機能し、例えばスマートフォンとして構成される。
【００２２】
情報処理装置２００は、ＣＰＵ２１１と、ＲＯＭ２１２と、ＲＡＭ２１３と、バス２１４と、入出力インターフェース２１５と、撮像部２１６と、入力部２１７と、出力部２１８と、記憶部２１９と、センサ部２２０と、通信部２２１と、ドライブ２２２と、を備えている。
【００２３】
ＣＰＵ２１１は、ＲＯＭ２１２に記録されているプログラム、または、記憶部２１９からＲＡＭ２１３にロードされたプログラムに従って各種の処理を実行する。例えば、ＣＰＵ２１１は、後述する撮影制御処理のためのプログラムに従って、撮影制御処理を実行する。
【００２４】
ＲＡＭ２１３には、ＣＰＵ２１１が各種の処理を実行する上において必要なデータ等も適宜記憶される。例えば、ＲＡＭ２１３には、撮像装置１００から受信した撮像画像のデータが記憶される。
【００２５】
ＣＰＵ２１１、ＲＯＭ２１２及びＲＡＭ２１３は、バス２１４を介して相互に接続されている。このバス２１４にはまた、入出力インターフェース２１５も接続されている。入出力インターフェース２１５には、撮像部２１６、入力部２１７、出力部２１８、記憶部２１９、センサ部２２０、通信部２２１及びドライブ２２２が接続されている。
【００２６】
撮像部２１６は、光学レンズ部２１６ａと、イメージセンサ２１６ｂと、を備えている。
【００２７】
光学レンズ部２１６ａは、被写体を撮影するために、光を集光するレンズ、例えばフォーカスレンズやズームレンズ等の光学系部材で構成される。
フォーカスレンズは、イメージセンサ２１６ｂの受光面に被写体像を結像させるレンズである。ズームレンズは、焦点距離を一定の範囲で自在に変化させるレンズである。
光学レンズ部２１６ａにはまた、必要に応じて、フォーカス、露出、ホワイトバランス等の設定パラメータを調整する周辺回路が設けられる。
【００２８】
イメージセンサ２１６ｂは、光電変換素子や、ＡＦＥ等から構成される。
光電変換素子は、例えばＣＭＯＳ型の光電変換素子等から構成される。光電変換素子には、光学レンズ部２１６ａから被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ変換処理等の各種信号処理を実行する。各種信号処理によって、ディジタル信号が生成され、撮像部２１６の出力信号（撮像画像のデータ）として出力される。
撮像画像のデータは、ＣＰＵ２１１等に適宜供給される。
【００２９】
ここで、本実施形態において、撮像部２１６によって撮像される撮像画像のデータは、標準の画角の画像を生成する際に用いられる有効領域の周囲に、デジタルズームによる縮小に用いられるマージン領域を含んでいる。そして、標準の画角で撮像画像が表示される場合、有効領域の画素全体を用いて画像が生成され、デジタルズームによる縮小が行われる場合、マージン領域の画素を用いて（即ち、マージン領域までトリミング範囲を拡大して）、縮小された画像が表示される。
【００３０】
入力部２１７は、各種釦や出力部２１８の表示領域に積層される静電容量式または抵抗膜式の位置入力センサ等で構成され、ユーザの指示操作に応じて各種情報を入力する。
出力部２１８は、ディスプレイやスピーカ等で構成され、画像や音声を出力する。例えば、出力部２１８は、撮像装置１００から取得されたライブビュー画像や記録用の画像を表示する。本実施形態においては、出力部２１８のディスプレイに入力部２１７の位置入力センサが重畳して配置され、タッチパネルが構成されている。
記憶部２１９は、ＤＲＡＭ等で構成され、各種画像のデータを記憶する。
センサ部２２０は、例えば、６軸加速度センサあるいはジャイロセンサ等で構成され、出力部２１８が設けられた情報処理装置２００の装置本体の傾きを検出する。
通信部２２１は、無線通信等によるネットワークを介して他の装置との間で行う通信を制御する。
【００３１】
ドライブ２２２には、磁気ディスク、光ディスク、光磁気ディスク、あるいは半導体メモリ等よりなる、リムーバブルメディア２３１が適宜装着される。ドライブ２２２によってリムーバブルメディア２３１から読み出されたプログラムは、必要に応じて記憶部２１９にインストールされる。また、リムーバブルメディア２３１は、記憶部２１９に記憶されている画像のデータ等の各種データも、記憶部２１９と同様に記憶することができる。
【００３２】
［機能的構成］
図４は、撮像装置１００の機能的構成のうち、撮影処理を実行するための機能的構成を示す機能ブロック図である。
撮影処理とは、情報処理装置２００からの指示に従って、ズーム撮影の設定あるいは撮像を実行する一連の処理をいう。
撮影処理が実行される場合、図４に示すように、ＣＰＵ１１１において、画像取得部１５１と、撮影制御部１５２と、制御信号受信部１５３と、画角調整制御部１５４と、光学ズーム制御部１５５と、デジタルズーム制御部１５６と、電力管理部１５７と、画像記録制御部１５８と、画像データ送信部１５９とが機能する。
【００３３】
画像取得部１５１は、撮像部１１６から出力される撮像画像のデータを取得し、記憶部１１９に記憶する。
撮影制御部１５２は、撮像装置１００が撮影モードに設定されることに対応して、撮像部１１６における撮影の制御を行う。例えば、撮影制御部１５２は、所定時間（１／１５秒等）毎に設定された撮像画像の更新タイミングとなると、撮像装置１００に撮像指示信号を出力する。その結果、撮像部１１６から所定時間毎に撮像画像のデータが出力される。
制御信号受信部１５３は、情報処理装置２００から送信された画角制御信号、記録準備信号あるいは記録指示信号等の制御信号を受信し、各制御信号に対応する機能部に受信した制御信号を出力する。
【００３４】
画角調整制御部１５４は、情報処理装置２００から受信した画角制御信号に基づいて、光学ズーム及びデジタルズームそれぞれの制御内容を決定し、決定した制御内容を示す制御信号を光学ズーム制御部１５５及びデジタルズーム制御部１５６に出力する。具体的には、画角調整制御部１５４は、画角制御信号を受信した場合には、デジタルズームによる画角の調整を優先して画角の調整を行う。このとき、画角調整制御部１５４は、デジタルズームのみによる画角の調整ができない場合に、光学ズームを併用して画角の調整を行う。また、画角調整制御部１５４は、電力管理部１５７によって検出されたバッテリの電池残量が設定された閾値（例えば７０％）以上である場合、かつ、光学ズームの移動範囲に余裕がある（ズームレンズが移動範囲の端点に到達していない）場合に、光学ズーム制御部１５５に制御信号を出力する。
また、画角調整制御部１５４は、記録指示信号を受信した場合には、画角制御信号の受信に対応してデジタルズームのみによる画角の調整が行われているときには、デジタルズームによる画角の調整に相当する光学ズームによる画角の調整を行う。
【００３５】
光学ズーム制御部１５５は、画角調整制御部１５４から入力された光学ズームの制御内容に基づいて、撮影制御部１５２を介して撮像部１１６に光学ズームの倍率に設定するための制御信号を出力する。このとき、光学ズーム制御部１５５は、光学ズームを動作させる速度（光学ズームの倍率を変更する速度）が上限以下となるように、光学ズームを動作させる制御信号を出力する。即ち、光学ズームを動作させる速度が過度に早い場合、焦点を合わせる制御が追従し難くなり、一時的に焦点が大きくずれる状態が生じ得る。そのため、本実施形態においては、焦点が合っている状態を維持するために、光学ズームを動作させる速度に上限を設定している。
【００３６】
デジタルズーム制御部１５６は、画角調整制御部１５４から入力されたデジタルズームの制御内容に基づいて、撮像画像のデータに対するトリミングを行い、デジタルズームの倍率に対応する画像のデータを生成する。デジタルズーム制御部１５６によって生成された画像のデータは、記憶部１１９に記憶される。
電力管理部１５７は、撮像装置１００に備えられたバッテリの電池残量を検出する。
【００３７】
画像記録制御部１５８は、撮像装置１００のシャッタボタンが押下された場合及び情報処理装置２００から画像記録指示信号を受信した場合に、撮影制御部１５２を介して撮像部１１６に記録用の画像の撮像を指示する。なお、記録用の画像とは、撮像装置１００のシャッタボタンが押下された場合及び情報処理装置２００から記録指示信号を受信した場合等、撮影の実行が指示されることにより、撮影された画像として保存される画像である。これに対し、撮像素子からリアルタイムに出力され、一時的にＲＡＭ１１３等に記憶される画像をライブビュー画像と呼ぶ。
また、画像記録制御部１５８は、撮像装置１００のシャッタボタンが半押しされた場合及び情報処理装置２００から記録準備信号を受信した場合に、撮影制御部１５２を介して撮像部１１６に記録用の画像を撮像するための準備状態（レンズや絞り等を記録用の画像を撮像する場合と同一にした状態）とする指示を行う。
【００３８】
画像データ送信部１５９は、画像取得部１５１によって取得される撮像画像のデータ（具体的には、ライブビュー画像のデータ及び記録用の画像のデータ）を通信部１２０を介して情報処理装置２００に送信する。本実施形態において、画像データ送信部１５９は、ライブビュー画像については、撮像画像のデータのサイズを縮小した後に、情報処理装置２００に送信する。これにより、ライブビュー画像を高速に情報処理装置２００に送信することが可能となる。
【００３９】
図５は、情報処理装置２００の機能的構成のうち、撮影制御処理を実行するための機能的構成を示す機能ブロック図である。
撮影制御処理とは、情報処理装置２００に対するユーザの操作に応じて、撮像装置１００に対する撮影の制御信号を送信する一連の処理をいう。
撮影制御処理が実行される場合、図５に示すように、ＣＰＵ２１１において、画角指示検出部２５１と、記録準備指示検出部２５２と、記録指示検出部２５３と、制御信号送信部２５４と、画像取得部２５５とが機能する。
【００４０】
画角指示検出部２５１は、情報処理装置２００のタッチパネルに入力された画角を指示する操作を検出する。例えば、画角指示検出部２５１は、情報処理装置２００のタッチパネルに表示された撮像画像に対して、ユーザが行ったピンチイン操作（タッチパネルに接触させた２本の指を近付ける操作）を検出する。本実施形態において、ピンチイン操作は、ズームアウト（倍率の縮小）のための操作に対応する。また、画角指示検出部２５１は、情報処理装置２００のタッチパネルに表示された撮像画像に対して、ユーザが行ったピンチアウト操作（タッチパネルに接触させた２本の指を遠ざける操作）を検出する。本実施形態において、ピンチアウト操作は、ズームイン（倍率の拡大）のための操作に対応する。画角指示検出部２５１は、画角を指示する操作の内容を示す画角制御信号を、制御信号送信部２５４を介して撮像装置１００に送信する。
【００４１】
記録準備指示検出部２５２は、情報処理装置２００のタッチパネルに入力された画像の記録準備を指示する操作を検出する。例えば、記録準備指示検出部２５２は、タッチパネルに表示されたハーフシャッタの操作ボタンへのタッチ操作を、画像の記録準備を指示する操作として検出する。記録準備指示検出部２５２は、画像の記録準備を指示する操作を示す記録準備信号を、制御信号送信部２５４を介して撮像装置１００に送信する。
記録指示検出部２５３は、情報処理装置２００のタッチパネルに入力された画像の記録を指示する操作を検出する。例えば、記録指示検出部２５３は、タッチパネルに表示されたシャッタの操作ボタンへのタッチ操作を、画像の記録を指示する操作として検出する。記録指示検出部２５３は、画像の記録を指示する操作を示す記録指示信号を、制御信号送信部２５４を介して撮像装置１００に送信する。
【００４２】
制御信号送信部２５４は、画角指示検出部２５１から入力された画角制御信号、記録準備指示検出部２５２から入力された記録準備信号あるいは記録指示検出部２５３から入力された記録指示信号を撮像装置１００に送信する。
画像取得部２５５は、撮像装置１００から受信した撮像画像のデータ（ライブビュー画像のデータ及び記録用の画像のデータ）を取得し、記憶部２１９に記憶する。
【００４３】
［動作］
次に、動作を説明する。
［撮影処理］
図６は、図４の機能的構成を有する図２の撮像装置１００のＣＰＵ１１１が実行する撮影処理の流れを説明するフローチャートである。
撮影処理は、ユーザによる入力部１１７への撮影処理開始の操作に対応して開始される。
【００４４】
撮影処理を開始すると、撮影制御部１５２は、撮像画像の更新タイミングとなっているか否かの判定を行う（ステップＳ１）。
撮影制御部１５２が撮像画像の更新タイミングとなっていると判定した場合（ステップＳ１においてＹＥＳ）、処理はステップＳ２に移行する。
これに対し、撮影制御部１５２が撮像画像の更新タイミングとなっていないと判定した場合（ステップＳ１においてＮＯ）、処理はステップＳ５に移行する。
【００４５】
ステップＳ１において、撮影制御部１５２が、撮像画像の更新タイミングとなっていると判定すると、撮影制御部１５２は、画像取得部１５１に撮像画像のデータを取得させる（ステップＳ２）。
画像データ送信部１５９は、撮像画像のデータを縮小する処理を行う（ステップＳ３）。
画像データ送信部１５９は、縮小した撮像画像のデータを情報処理装置２００に送信する（ステップＳ４）。
このように撮影処理が繰り返される。
【００４６】
ステップＳ１において、撮影制御部１５２が、撮像画像の更新タイミングとなっていないと判定すると、画角調整制御部１５４は、画角制御信号を受信したか否かの判定を行う（ステップＳ５）。
画角調整制御部１５４が画角制御信号を受信したと判定した場合（ステップＳ５においてＹＥＳ）、処理はステップＳ６に移行する。
これに対し、画角調整制御部１５４が画角制御信号を受信していないと判定した場合（ステップＳ５においてＮＯ）、処理はステップＳ１４に移行する。
【００４７】
画角調整制御部１５４が画角制御信号を受信したと判定した場合、画角調整制御部１５４は、画角制御信号が示すズームの倍率がデジタルズームの限度値として設定されている倍率（以下、「デジタルズーム限度倍率」と呼ぶ。）を超えているか否かの判定を行う（ステップＳ６）。
画角調整制御部１５４が画角制御信号が示すズームの倍率がデジタルズーム限度倍率を超えていないと判定した場合（ステップＳ６においてＮＯ）、処理はステップＳ７に移行する。
これに対し、画角調整制御部１５４が画角制御信号が示すズームの倍率がデジタルズーム限度倍率を超えていると判定した場合（ステップＳ６においてＹＥＳ）、処理はステップＳ８に移行する。
【００４８】
画角調整制御部１５４が画角制御信号が示すズームの倍率がデジタルズーム限度倍率を超えていないと判定した場合、画角調整制御部１５４は、デジタルズーム制御部１５６に対し、画角制御信号が示すズームの倍率を全てデジタルズームとする制御信号を出力する（ステップＳ７）。
一方、画角調整制御部１５４が画角制御信号が示すズームの倍率がデジタルズーム限度倍率を超えていると判定した場合、画角調整制御部１５４は、電力管理部１５７によって検出されたバッテリの電池残量が設定された閾値以上であるか否かの判定を行う（ステップＳ８）。
画角調整制御部１５４が撮像装置１００のバッテリの電池残量が設定された閾値未満であると判定した場合（ステップＳ８においてＮＯ）、処理はステップＳ９に移行する。
これに対し、画角調整制御部１５４が撮像装置１００のバッテリの電池残量が設定された閾値以上であると判定した場合（ステップＳ８においてＹＥＳ）、処理はステップＳ１１に移行する。
【００４９】
画角調整制御部１５４が撮像装置１００のバッテリの電池残量が設定された閾値未満であると判定した場合、画角調整制御部１５４は、画角の調整が不可である旨を示す信号を生成する（ステップＳ９）。
そして、画角調整制御部１５４は、画角の調整が不可である旨を示す信号に基づいて、現在のライブビュー画像に画角の調整が不可である旨のメッセージを合成する（ステップＳ１０）。
一方、画角調整制御部１５４が撮像装置１００のバッテリの電池残量が設定された閾値以上であると判定した場合、画角調整制御部１５４は、光学ズームの移動範囲に余裕があるか否か（即ち、ズームレンズが移動範囲の端点に到達していないか）の判定を行う（ステップＳ１１）。
画角調整制御部１５４が光学ズームの移動範囲に余裕がないと判定した場合（ステップＳ１１においてＮＯ）、処理はステップＳ９に移行する。
これに対し、画角調整制御部１５４が光学ズームの移動範囲に余裕があると判定した場合（ステップＳ１１においてＹＥＳ）、処理はステップＳ１２に移行する。
【００５０】
画角調整制御部１５４が光学ズームの移動範囲に余裕があると判定した場合、画角調整制御部１５４は、画角調整のための操作が安定したか否か（具体的には、情報処理装置２００から記録準備信号を受信しているか否か、または、画角制御信号の受信から所定時間（例えば１秒等）が経過しているか否か）の判定を行う（ステップＳ１２）。
画角調整制御部１５４が画角調整のための操作が安定していないと判定した場合（ステップＳ１２においてＮＯ）、処理はステップＳ６に移行する。
これに対し、画角調整制御部１５４が画角調整のための操作が安定したと判定した場合（ステップＳ１２においてＹＥＳ）、処理はステップＳ１３に移行する。
【００５１】
画角調整制御部１５４が画角調整のための操作が安定したと判定した場合、画角調整制御部１５４は、画角調整のための操作が安定したときの最終的な画角制御信号に基づいて、光学ズーム及びデジタルズームそれぞれの制御内容を決定し、光学ズーム制御部１５５及びデジタルズーム制御部１５６によって、画角の調整を行う（ステップＳ１３）。このとき、画角制御信号が示すズームの倍率を、デジタルズームにはデジタルズーム限度倍率まで割り当て、デジタルズーム限度倍率で不足する倍率を光学ズームに割り当てることが可能である。ただし、デジタルズーム限度倍率よりも少ない倍率をデジタルズームに割り当てることとしてもよい。
【００５２】
また、画角調整制御部１５４は、情報処理装置２００から記録指示信号を受信したか否かの判定を行う（ステップＳ１４）。
画角調整制御部１５４が情報処理装置２００から記録指示信号を受信していないと判定した場合（ステップＳ１４においてＮＯ）、撮影処理が繰り返される。
これに対し、画角調整制御部１５４が情報処理装置２００から記録指示信号を受信したと判定した場合（ステップＳ１４においてＹＥＳ）、処理はステップＳ１５に移行する。
【００５３】
画角調整制御部１５４は情報処理装置２００から記録指示信号を受信したと判定した場合、画角調整制御部１５４は、現在の撮像画像（ライブビュー画像）がデジタルズームのみによって画角調整されたものであるか否かの判定を行う（ステップＳ１５）。
画角調整制御部１５４が現在の撮像画像がデジタルズームのみによって画角調整されたものでないと判定した場合（ステップＳ１５においてＮＯ）、処理はステップＳ１６に移行する。
これに対し、画角調整制御部１５４が現在の撮像画像がデジタルズームのみによって画角調整されたものであると判定した場合（ステップＳ１５においてＹＥＳ）、処理はステップＳ１７に移行する。
【００５４】
画角調整制御部１５４が現在の撮像画像がデジタルズームのみによって画角調整されたものでないと判定した場合、画角調整制御部１５４は、光学ズーム制御部１５５及びデジタルズーム制御部１５６における現在の画角調整の状態を維持させる（ステップＳ１６）。
画角調整制御部１５４が現在の撮像画像がデジタルズームのみによって画角調整されたものであると判定した場合、画角調整制御部１５４は、デジタルズームの設定をリセットし、そのデジタルズームに相当する光学ズームによる画角の調整を行う（ステップＳ１７）。
そして、画像記録制御部１５８は、撮影制御部１５２を介して撮像部１１６に記録用の画像の撮像を指示し、記録用の画像を撮像する（ステップＳ１８）。
画像データ送信部１５９は、記録用の画像のデータを通信部１２０を介して情報処理装置２００に送信する（ステップＳ１９）。
ステップＳ１９の後、撮影処理が繰り返される。
【００５５】
［撮影制御処理］
図７は、図５の機能的構成を有する図３の情報処理装置２００が実行する撮影制御処理の流れを説明するフローチャートである。
撮影制御処理は、ユーザによる入力部２１７への撮影制御処理開始の操作に対応して開始される。
撮影制御処理が開始されると、画像取得部２５５は、撮像装置１００から送信されるライブビュー画像を取得する（ステップＳ１１０）。
【００５６】
画角指示検出部２５１は、情報処理装置２００のタッチパネルに画角を指示する操作が入力されたか否かの判定を行う（ステップＳ１２０）。
情報処理装置２００のタッチパネルに画角を指示する操作が入力されたと判定した場合（ステップＳ１２０においてＹＥＳ）、処理はステップＳ１３０に移行する。
これに対し、情報処理装置２００のタッチパネルに画角を指示する操作が入力されていないと判定された場合（ステップＳ１２０においてＮＯ）、処理はステップＳ１４０に移行する。
【００５７】
画角指示検出部２５１が情報処理装置２００のタッチパネルに画角を指示する操作が入力されたと判定した場合、画角指示検出部２５１は、検出した画角を指示する操作の内容を示す画角制御信号を、制御信号送信部２５４を介して撮像装置１００に送信する（ステップＳ１３０）。
そして、記録準備指示検出部２５２は、情報処理装置２００のタッチパネルに画像の記録準備を指示する操作が入力されたか否かの判定を行う（ステップＳ１４０）。
情報処理装置２００のタッチパネルに画像の記録準備を指示する操作が入力されたと判定されると（ステップＳ１４０においてＹＥＳ）、処理はステップＳ１５０に移行する。
これに対し、情報処理装置２００のタッチパネルに画像の記録準備を指示する操作が入力されていないと判定すると（ステップＳ１４０においてＮＯ）、処理はステップＳ１６０に移行する。
【００５８】
記録準備指示検出部２５２が情報処理装置２００のタッチパネルに画像の記録準備を指示する操作が入力されたと判定すると、記録準備指示検出部２５２は、画像の記録準備を指示する操作を示す記録準備信号を、制御信号送信部２５４を介して撮像装置１００に送信する（ステップＳ１５０）。
そして、記録指示検出部２５３は、情報処理装置２００のタッチパネルに画像の記録を指示する操作が入力されたか否かの判定を行う（ステップＳ１６０）。
情報処理装置２００のタッチパネルに画像の記録を指示する操作が入力されたと判定すると（ステップＳ１６０においてＹＥＳ）、処理はステップＳ１７０に移行する。
これに対し、情報処理装置２００のタッチパネルに画像の記録を指示する操作が入力されていないと判定すると（ステップＳ１６０においてＮＯ）、処理はステップＳ１９０に移行する。
【００５９】
記録指示検出部２５３が情報処理装置２００のタッチパネルに画像の記録を指示する操作が入力されたと判定すると、記録指示検出部２４３は、画像の記録を指示する操作を示す記録指示信号を、制御信号送信部２５４を介して撮像装置１００に送信する（ステップ１７０）。
そして、画像取得部２５５は、撮像装置１００から送信される撮像画像のデータ（記録用の画像のデータ）を取得する（ステップ１８０）。
画像取得部２５５は、取得した撮像画像のデータを記憶部２１９に記憶する（ステップＳ１９０）。
ステップＳ１９０の後、撮影制御処理が繰り返される。
【００６０】
このような処理により、情報処理装置２００において、ライブビュー画像が表示されている状態で画角を指示する操作が行われた場合、撮像装置１００においては、デジタルズームのみで画角の調整が行える場合には、デジタルズームのみによって画角の調整を行う（図６のステップＳ７参照）。
そのため、撮影する画角を決定するために画角を調整する際に、より早く画角を変更できるため、シャッタチャンスを逃し難くすることができる。また、光学ズームを動作させる頻度を低下させ、低消費電力化を図ることができる。
【００６１】
また、情報処理装置２００において、画像の記録を指示する操作が行われた場合、撮像装置１００においては、デジタルズームによって調整されていた画角を、光学ズームを用いて調整し、記録用の画像を撮影する（図６のステップＳ１７参照）。
そのため、ユーザによる画角の調整を経て、撮影のために決定された画角へと光学ズームを直接的に移行させることができる。
したがって、光学ズームの動作量をより少ないものとできるため、より低消費電力化を図ることができる。
【００６２】
また、情報処理装置２００において、ライブビュー画像が表示されている状態で画角を指示する操作が行われた場合、撮像装置１００においては、デジタルズームを優先して画角の調整を行い、デジタルズームのみでは画角の調整が行えない場合に、光学ズームを併用して画角の調整を行う。
このとき、撮像装置１００は、画角調整のための操作が安定した場合（記録準備信号を受信した場合及び画角制御信号の受信から所定時間が経過した場合）に、その安定した状態で設定されている光学ズームの倍率へと直接的に移行させる（図６のステップＳ１２参照）。
そのため、光学ズームの動作量をより少ないものとできるため、より低消費電力化を図ることができる。
【００６３】
また、撮像装置１００においては、バッテリの電池残量が設定された閾値以上である場合に、光学ズームによる画角の調整を行う。
そのため、バッテリの電池残量に余裕がある場合に光学ズームによる画角調整を行い、バッテリの電池残量に余裕がない場合には、光学ズームによる画角調整を行わないように制御できる。
したがって、バッテリの電池残量に余裕がない状態で光学ズームが用いられることで、撮像装置１００の動作可能時間を縮小させる事態を抑制できる。
【００６４】
［第２実施形態］
次に、本発明の第２実施形態について説明する。
本実施形態に係る撮影システム１は、第１実施形態の撮像装置１００が実行するデジタルズームによる画角の調整（トリミング）を情報処理装置２００が実行するものである。
以下、第１実施形態と異なる部分である撮像装置１００及び情報処理装置２００の機能的構成と、撮影処理及び撮影制御処理のフローチャートについて主に説明する。
【００６５】
［機能的構成］
図８は、第２実施形態に係る撮像装置１００の機能的構成のうち、撮影処理を実行するための機能的構成を示す機能ブロック図である。
撮影処理が実行される場合、図８に示すように、ＣＰＵ１１１において、画像取得部１５１と、撮影制御部１５２と、制御信号受信部１５３と、画角調整判定部１５４ａと、光学ズーム制御部１５５と、電力管理部１５７と、画像記録制御部１５８と、画像データ送信部１５９とが機能する。
即ち、本実施形態におけるＣＰＵ１１１では、図４に示す第１実施形態のＣＰＵ１１１に対して、画角調整制御部１５４及びデジタルズーム制御部１５６が備えられていない一方、画角調整判定部１５４ａが備えられた構成となっている。
【００６６】
画角調整判定部１５４ａは、情報処理装置２００から受信した光学ズームの制御内容を示す制御信号を光学ズーム制御部１５５に出力する。このとき、画角調整判定部１５４ａは、電力管理部１５７によって検出されたバッテリの電池残量が設定された閾値（例えば７０％）以上である場合、かつ、光学ズームの移動範囲に余裕がある（ズームレンズが移動範囲の端点に到達していない）場合に、光学ズーム制御部１５５に制御信号を出力する。
【００６７】
光学ズーム制御部１５５は、画角調整判定部１５４ａから入力された光学ズームの制御内容を示す制御信号に基づいて、撮影制御部１５２を介して撮像部１１６に光学ズームの倍率に設定するための制御信号を出力する。
【００６８】
また、図９は、第２実施形態に係る情報処理装置２００の機能的構成のうち、撮影制御処理を実行するための機能的構成を示す機能ブロック図である。
撮影制御処理が実行される場合、図９に示すように、ＣＰＵ２１１において、画角指示検出部２５１と、画角調整制御部３５４と、記録準備指示検出部２５２と、記録指示検出部２５３と、制御信号送信部２５４と、画像取得部２５５と、デジタルズーム制御部３５６とが機能する。
即ち、本実施形態におけるＣＰＵ２１１では、図５に示す第１実施形態のＣＰＵ２１１に対して、更に画角調整制御部３５４及びデジタルズーム制御部３５６が備えられた構成となっている。
【００６９】
画角指示検出部２５１は、検出した画角を指示する操作の内容を示す画角制御信号を画角調整制御部３５４に出力する。
画角調整制御部３５４は、画角指示検出部２５１から入力された画角制御信号に基づいて、光学ズーム及びデジタルズームそれぞれの制御内容を決定し、決定した制御内容を示す制御信号を、制御信号送信部２５４を介して撮像装置１００に送信すると共に、デジタルズーム制御部３５６に出力する。具体的には、画角調整制御部３５４は、画角制御信号が入力された場合には、デジタルズームによる画角の調整を優先して画角の調整を行う。このとき、画角調整制御部３５４は、デジタルズームのみによる画角の調整ができない場合に、光学ズームを併用して画角の調整を行う。
【００７０】
また、画角調整制御部３５４は、記録指示検出部２５３から記録指示信号が入力された場合には、画角制御信号の入力に対応してデジタルズームのみによる画角の調整が行われているときには、デジタルズームによる画角の調整に相当する光学ズームによる画角の調整を行う。
【００７１】
記録準備指示検出部２５２は、情報処理装置２００のタッチパネルに入力された画像の記録準備を指示する操作を検出する。記録準備指示検出部２５２は、画像の記録準備を指示する操作を示す記録準備信号を、制御信号送信部２５４を介して撮像装置１００に送信すると共に、デジタルズーム制御部３５６に出力する。
記録指示検出部２５３は、情報処理装置２００のタッチパネルに入力された画像の記録を指示する操作を検出する。記録指示検出部２５３は、画像の記録を指示する操作を示す記録指示信号を、制御信号送信部２５４を介して撮像装置１００に送信すると共に、デジタルズーム制御部３５６に出力する。
【００７２】
制御信号送信部２５４は、画角指示検出部２５１から入力された画角制御信号、記録準備指示検出部２５２から入力された記録準備信号あるいは記録指示検出部２５３から入力された記録指示信号を撮像装置１００に送信する。
画像取得部２５５は、撮像装置１００から受信した撮像画像のデータ（ライブビュー画像のデータ及び記録用の画像のデータ）を取得し、記憶部２１９に記憶する。なお、画像取得部２５５は、デジタルズーム制御部１５６による画角の調整が行われる場合には、取得した撮像画像のデータをデジタルズーム制御部３５６に出力し、デジタルズーム制御部３５６によって画角の調整（トリミング）が行われた画像のデータを取得して、記憶部２１９に記憶する。
【００７３】
デジタルズーム制御部３５６は、画角調整制御部３５４から入力されたデジタルズームの制御内容に基づいて、撮像画像のデータに対するトリミングを行い、デジタルズームの倍率に対応する画像のデータを生成する。
【００７４】
［動作］
次に、動作を説明する。
［撮影処理］
図１０は、図８の機能的構成を有する図２の撮像装置１００が実行する撮影処理の流れを説明するフローチャートである。
撮影処理は、ユーザによる入力部１１７への撮影処理開始の操作に対応して開始される。
【００７５】
撮影処理が開始されると、撮影制御部１５２は、撮像画像の更新タイミングとなっているか否かの判定を行う（ステップＳ２０１）。
撮影制御部１５２が撮像画像の更新タイミングとなっていると判定すると（ステップＳ２０１においてＹＥＳ）、処理はステップＳ２０２に移行する。
これに対し、撮影制御部１５２が撮像画像の更新タイミングとなっていないと判定すると（ステップＳ２０１においてＮＯ）、処理はステップＳ２０５に移行する。
【００７６】
撮影制御部１５２が撮像画像の更新タイミングとなっていると判定すると、撮影制御部１５２は、画像取得部１５１によって撮像画像のデータを取得する（ステップＳ２０２）。
画像データ送信部１５９は、撮像画像のデータを縮小する処理を行う（ステップＳ２０３）。
画像データ送信部１５９は、縮小した撮像画像のデータを情報処理装置２００に送信する（ステップＳ２０４）。
ステップＳ２０４の後、撮影処理が繰り返される。
【００７７】
撮影制御部１５２が撮像画像の更新タイミングとなっていないと判定すると、画角調整判定部１５４ａは、光学ズームの制御内容を示す制御信号を受信したか否かの判定を行う（ステップＳ２０５）。
画角調整判定部１５４ａが光学ズームの制御内容を示す制御信号を受信したと判定すると（ステップＳ２０５においてＹＥＳ）、処理はステップＳ２０６に移行する。
これに対し、画角調整判定部１５４ａが光学ズームの制御内容を示す制御信号を受信していないと判定すると（ステップＳ２０５においてＮＯ）、処理はステップＳ２１２に移行する。
【００７８】
画角調整判定部１５４ａが光学ズームの制御内容を示す制御信号を受信したと判定すると、画角調整判定部１５４ａは、電力管理部１５７によって検出されたバッテリの電池残量が設定された閾値以上か閾値未満かの判定を行う（ステップＳ２０６）。
画角調整判定部１５４ａが撮像装置１００のバッテリの電池残量が設定された閾値未満であると判定すると（ステップＳ２０６においてＮＯ）、処理はステップＳ２０７に移行する。
これに対し、画角調整判定部１５４ａが撮像装置１００のバッテリの電池残量が設定された閾値以上であると判定すると（ステップＳ２０６においてＹＥＳ）、処理はステップＳ２０９に移行する。
【００７９】
画角調整判定部１５４ａが撮像装置１００のバッテリの電池残量が設定された閾値未満であると判定すると、画角調整判定部１５４ａは、画角の調整が不可である旨を示す信号を生成する（ステップＳ２０７）。
更に画角調整判定部１５４ａは、画角の調整が不可である旨を示す信号に基づいて、現在のライブビュー画像に画角の調整が不可である旨のメッセージを合成する（ステップＳ２０８）。
一方、画角調整判定部１５４ａが撮像装置１００のバッテリの電池残量が設定された閾値以上であると判定すると、画角調整判定部１５４ａは、光学ズームの移動範囲に余裕があるか否か（即ち、ズームレンズが移動範囲の端点に到達していないか）の判定を行う（ステップＳ２０９）。
画角調整判定部１５４ａが光学ズームの移動範囲に余裕がないと判定すると（ステップＳ２０９においてＮＯ）、処理はステップＳ２０７に移行する。
これに対し、画角調整判定部１５４ａが光学ズームの移動範囲に余裕があると判定すると（ステップＳ２０９においてＹＥＳ）、処理はステップＳ２１０に移行する。
【００８０】
画角調整判定部１５４ａが光学ズームの移動範囲に余裕があると判定すると、画角調整判定部１５４ａは、画角調整のための操作が安定したか否か（具体的には、情報処理装置２００から記録準備信号を受信しているか否か、または、光学ズームの制御内容を示す制御信号の受信から所定時間（例えば１秒等）が経過しているか否か）の判定を行う（ステップＳ２１０）。
画角調整判定部１５４ａが画角調整のための操作が安定していないと判定すると（ステップＳ２１０においてＮＯ）、処理はステップＳ２０６に移行する。
これに対し、画角調整判定部１５４ａが画角調整のための操作が安定したと判定すると（ステップＳ２１０においてＹＥＳ）、処理はステップＳ２１１に移行する。
画角調整判定部１５４ａが画角調整のための操作が安定したと判定すると、画角調整判定部１５４ａは、画角調整のための操作が安定したときの最終的な制御信号に基づいて、光学ズームの制御内容を決定し、光学ズーム制御部１５５によって、画角の調整を行う（ステップＳ２１１）。
【００８１】
一方、画角調整判定部１５４ａは、情報処理装置２００から記録指示信号を受信したか否かの判定を行う（ステップＳ２１２）。
画角調整判定部１５４ａが情報処理装置２００から記録指示信号を受信していないと判定すると（ステップＳ２１２においてＮＯ）、撮影処理が繰り返される。
これに対し、画角調整判定部１５４ａが情報処理装置２００から記録指示信号を受信したと判定すると（ステップＳ２１２においてＹＥＳ）、処理はステップＳ２１３に移行する。
【００８２】
画角調整判定部１５４ａが情報処理装置２００から記録指示信号を受信したと判定すると、画角調整判定部１５４ａは、記録指示信号に光学ズームによる画角調整を指示する制御内容が含まれているか否かの判定を行う（ステップＳ２１３）。
画角調整判定部１５４ａが記録指示信号に光学ズームによる画角調整を指示する制御内容が含まれていないと判定すると（ステップＳ２１３においてＮＯ）、処理はステップＳ２１４に移行する。
これに対し、画角調整判定部１５４ａが記録指示信号に光学ズームによる画角調整を指示する制御内容が含まれていると判定すると（ステップＳ２１３においてＹＥＳ）、処理はステップＳ２１５に移行する。
【００８３】
画角調整判定部１５４ａが記録指示信号に光学ズームによる画角調整を指示する制御内容が含まれていないと判定すると、画角調整判定部１５４ａは、光学ズーム制御部１５５における現在の画角調整の状態を維持させる（ステップＳ２１４）。
一方、画角調整判定部１５４ａが記録指示信号に光学ズームによる画角調整を指示する制御内容が含まれていると判定すると、画角調整判定部１５４ａは、記録指示信号によって指示された制御内容に応じて、光学ズームによる画角の調整を行う（ステップＳ２１５）。
そして、画像記録制御部１５８は、撮影制御部１５２を介して撮像部１１６に記録用の画像の撮像を指示し、記録用の画像を撮像する（ステップＳ２１６）。
画像データ送信部１５９は、記録用の画像のデータを通信部１２０を介して情報処理装置２００に送信する（ステップＳ２１７）。
ステップＳ２１７の後、撮影処理が繰り返される。
【００８４】
［撮影制御処理］
図１１は、図９の機能的構成を有する図３の情報処理装置２００が実行する撮影制御処理の流れを説明するフローチャートである。
撮影制御処理は、ユーザによる入力部２１７への撮影制御処理開始の操作に対応して開始される。
撮影制御処理が開始されると、画像取得部２５５は、撮像装置１００から送信されるライブビュー画像を取得する（ステップＳ３１０）。
【００８５】
画角指示検出部２５１は、情報処理装置２００のタッチパネルに画角を指示する操作が入力されたか否かの判定を行う（ステップＳ３２０）。
画角指示検出部２５１が情報処理装置２００のタッチパネルに画角を指示する操作が入力されたと判定すると（ステップＳ３２０においてＹＥＳ）、処理はステップＳ３３０に移行する。
これに対し、画角指示検出部２５１が情報処理装置２００のタッチパネルに画角を指示する操作が入力されていないと判定すると（ステップＳ３２０においてＮＯ）、処理はステップＳ３７０に移行する。
【００８６】
画角指示検出部２５１が情報処理装置２００のタッチパネルに画角を指示する操作が入力されたと判定すると、画角指示検出部２５１は、検出した画角を指示する操作の内容を示す画角制御信号を画角調整制御部３５４に出力する（ステップＳ３３０）。
そして、画角調整制御部３５４は、画角制御信号が示すズームの倍率がデジタルズーム限度倍率を超えているか否かの判定を行う（ステップＳ３４０）。
画角調整制御部３５４が、画角制御信号が示すズームの倍率がデジタルズーム限度倍率を超えていないと判定すると（ステップＳ３４０においてＮＯ）、処理はステップＳ３５０に移行する。
これに対し、画角調整制御部３５４が、画角制御信号が示すズームの倍率がデジタルズーム限度倍率を超えていると判定すると（ステップＳ３４０においてＹＥＳ）、処理はステップＳ３６０に移行する。
【００８７】
画角調整制御部３５４が、画角制御信号が示すズームの倍率がデジタルズーム限度倍率を超えていないと判定すると、画角調整制御部３５４は、デジタルズーム制御部３５６に対し、画角制御信号が示すズームの倍率を全てデジタルズームとする制御信号を出力する（ステップＳ３５０）。
一方、画角調整制御部３５４が、画角制御信号が示すズームの倍率がデジタルズーム限度倍率を超えていると判定すると、画角調整制御部３５４は、画角制御信号に基づいて、光学ズーム及びデジタルズームそれぞれの制御内容を決定し、決定した制御内容を示す制御信号を、制御信号送信部２５４を介して撮像装置１００に送信すると共に、デジタルズーム制御部３５６に出力する（ステップＳ３６０）。このとき、画角制御信号が示すズームの倍率を、デジタルズームにはデジタルズーム限度倍率まで割り当て、デジタルズーム限度倍率で不足する倍率を光学ズームに割り当てることが可能である。ただし、デジタルズーム限度倍率よりも少ない倍率をデジタルズームに割り当てることとしてもよい。
【００８８】
そして、記録準備指示検出部２５２は、情報処理装置２００のタッチパネルに画像の記録準備を指示する操作が入力されたか否かの判定を行う（ステップＳ３７０）。
記録準備指示検出部２５２が情報処理装置２００のタッチパネルに画像の記録準備を指示する操作が入力されたと判定すると（ステップＳ３７０においてＹＥＳ）、処理はステップＳ３８０に移行する。
これに対し、記録準備指示検出部２５２が情報処理装置２００のタッチパネルに画像の記録準備を指示する操作が入力されていないと判定すると（ステップＳ３７０においてＮＯ）、処理はステップＳ３９０に移行する。
【００８９】
記録準備指示検出部２５２は、画像の記録準備を指示する操作を示す記録準備信号を、制御信号送信部２５４を介して撮像装置１００に送信する（ステップＳ３８０）。
記録指示検出部２５３は、情報処理装置２００のタッチパネルに画像の記録を指示する操作が入力されたか否かの判定を行う（ステップＳ３９０）。
記録指示検出部２５３が情報処理装置２００のタッチパネルに画像の記録を指示する操作が入力されたと判定すると（ステップＳ３９０においてＹＥＳ）、処理はステップＳ４００に移行する。
これに対し、記録指示検出部２５３が情報処理装置２００のタッチパネルに画像の記録を指示する操作が入力されていないと判定すると（ステップＳ３９０においてＮＯ）、撮影制御処理が繰り返される。
【００９０】
記録指示検出部２５３が情報処理装置２００のタッチパネルに画像の記録を指示する操作が入力されたと判定すると、画角調整制御部３５４は、現在の撮像画像（ライブビュー画像）がデジタルズームのみによって画角調整されたものであるか否かの判定を行う（ステップＳ４００）。
画角調整制御部３５４が現在の撮像画像がデジタルズームのみによって画角調整されたものでないと判定すると（ステップＳ４００においてＮＯ）、処理はステップＳ４１０に移行する。
これに対し、画角調整制御部３５４が現在の撮像画像がデジタルズームのみによって画角調整されたものであると判定すると（ステップＳ４００においてＹＥＳ）、ステップＳ４２０に移行する。
画角調整制御部３５４が現在の撮像画像がデジタルズームのみによって画角調整されたものでないと判定すると、画角調整制御部３５４は、光学ズームによる画角調整の状態を維持させる制御内容を含む記録指示信号を生成する（ステップＳ４１０）。
【００９１】
一方、画角調整制御部３５４が現在の撮像画像がデジタルズームのみによって画角調整されたものであると判定すると、デジタルズームの設定をリセットし、そのデジタルズームに相当する光学ズームによる画角の調整を行う制御内容を含む記録指示信号を生成する（ステップＳ４２０）。
そして、記録指示検出部２４３は、記録指示信号を制御信号送信部２５４を介して撮像装置１００に送信する（ステップＳ４３０）。
画像取得部２５５は、撮像装置１００から送信される撮像画像のデータ（記録用の画像のデータ）を取得する（ステップＳ４４０）。
画角調整制御部３５４は、撮像画像のデータに対するデジタルズームによる画角の調整が設定されているか否かの判定を行う（ステップＳ４５０）。
画角調整制御部３５４が撮像画像のデータに対するデジタルズームによる画角の調整が設定されていると判定すると（ステップＳ４５０においてＹＥＳ）、処理はステップＳ４６０に移行する。
これに対し、画角調整制御部３５４が撮像画像のデータに対するデジタルズームによる画角の調整が設定されていないと判定すると（ステップＳ４５０においてＮＯ）、処理はステップＳ４７０に移行する。
【００９２】
画角調整制御部３５４が撮像画像のデータに対するデジタルズームによる画角の調整が設定されていると判定すると、画角調整制御部３５４は、デジタルズーム制御部３５６に対し、設定されているデジタルズームによる画角の調整を示す制御信号を出力し、撮像画像のデータに対するトリミングを行う（ステップＳ４６０）。即ち、撮像画像のデータがデジタルズームの倍率に対応する画像のデータとなる。
画角調整制御部３５４が撮像画像のデータに対するデジタルズームによる画角の調整が設定されていないと判定すると、画像取得部２５５は、取得した撮像画像のデータまたはトリミングが行われた画像のデータを記憶部２１９に記憶する（ステップＳ４７０）。
ステップＳ４７０の後、撮影制御処理が繰り返される。
【００９３】
このような処理により、情報処理装置２００において、ライブビュー画像が表示されている状態で画角を指示する操作が行われた場合、デジタルズームのみで画角の調整が行える場合には、情報処理装置２００においてデジタルズームによる画角調整が行われる（図１１のステップＳ４６０参照）。また、光学ズームによる画角の調整が必要な場合には、撮像装置１００において、光学ズームによる画角調整が行われる（図１０のステップＳ２１１参照）。
そのため、撮影する画角を決定するために画角を調整する際に、より早く画角を変更できるため、シャッタチャンスを逃し難くすることができる。また、光学ズームを動作させる頻度を低下させることができる。更に、撮像装置１００における画角の調整のための処理負担を軽減できる。
【００９４】
［第３実施形態］
次に、本発明の第３実施形態について説明する。
本実施形態に係る撮影システム１は、第１実施形態の撮像装置１００において、デジタルズームのみによる画角の調整が行われた後、所定時間画角調整のための操作が安定している場合に、デジタルズームによる画角の調整に相当する光学ズームによる画角の調整を予め行っておき、記録指示信号を受信した場合に、速やかに記録用の画像を撮像できるようにするものである。
以下、第１実施形態と異なる部分である撮像装置１００において実行される撮影処理のフローチャートについて主に説明する。
【００９５】
［撮影処理］
図１２は、図４の機能的構成を有する図２の撮像装置１００が実行する撮影処理の流れを説明するフローチャートである。
撮影処理は、ユーザによる入力部１１７への撮影処理開始の操作に対応して開始される。
【００９６】
図１２に示す撮影処理では、図６に示す撮影処理に対して、ステップＳ６ａ、ステップＳ７ａ〜７ｃ及びステップＳ１６ａが追加されたフローチャートとなっている。
即ち、画角調整制御部１５４が画角制御信号が示すズームの倍率がデジタルズーム限度倍率を超えていないと判定すると（ステップＳ６においてＮＯ）、処理はステップＳ６ａに移行する。
画角調整制御部１５４が画角制御信号が示すズームの倍率がデジタルズーム限度倍率を超えていないと判定すると、画角調整制御部１５４は、所定時間画角調整のための操作が安定していることを条件に、デジタルズームのみによって調整されていた画角を光学ズームによって調整する処理（後述するステップＳ７ｂの処理）を行うことを示すフラグ（以下、「光学ズーム移行フラグ」と呼ぶ。）がＯＮとなっているか否かの判定を行う（ステップＳ６ａ）。
【００９７】
画角調整制御部１５４が光学ズーム移行フラグがＯＮとなっていると判定すると（ステップＳ６ａにおいてＹＥＳ）、処理はステップＳ７に移行する。
これに対し、画角調整制御部１５４が光学ズーム移行フラグがＯＮとなっていないと判定すると（ステップＳ６ａにおいてＮＯ）、処理はステップＳ８に移行する。
この後、画角調整制御部１５４は、デジタルズーム制御部１５６に対し、先ず、画角制御信号が示すズームの倍率を全てデジタルズームとする制御信号を出力する（ステップＳ７）。
そして、画角調整制御部１５４は、画角調整のための操作が安定したか否か（具体的には、情報処理装置２００から記録準備信号を受信しているか否か、または、画角制御信号の受信から所定時間（例えば１秒等）が経過しているか否か）の判定を行う（ステップＳ７ａ）。
画角調整制御部１５４が画角調整のための操作が安定していないと判定すると（ステップＳ７ａにおいてＮＯ）、処理はステップＳ６に移行する。
画角調整制御部１５４が画角調整のための操作が安定したと判定すると（ステップＳ７ａにおいてＹＥＳ）、処理はステップＳ７ｂに移行する。
【００９８】
画角調整制御部１５４が画角調整のための操作が安定したと判定すると、画角調整制御部１５４は、デジタルズームの設定をリセットし、そのデジタルズームに相当する光学ズームによる画角の調整を行う（ステップＳ７ｂ）。
そして、画角調整制御部１５４は、光学ズーム移行フラグをＯＮに設定する（ステップＳ７ｃ）。
また、画角調整制御部１５４は、光学ズーム移行フラグをＯＦＦにリセットする（ステップＳ１８ａ）。
【００９９】
このような処理により、情報処理装置２００において、ライブビュー画像が表示されている状態で画角を指示する操作が行われた場合、撮像装置１００においては、デジタルズームのみで画角の調整が行える場合には、デジタルズームのみによって画角の調整を行う（図１２のステップＳ７参照）。そして、画角調整のための操作が安定した場合、撮像装置１００においては、画像の記録を指示する操作が行われる以前に、デジタルズームによって調整されていた画角を、光学ズームを用いて調整する（図１２のステップＳ７ｂ参照）。
そのため、撮像装置１００において記録指示信号を受信した場合に、速やかに記録用の画像を撮像することができるため、シャッタチャンスを逃し難くすることができる。
【０１００】
［応用例１］
上記実施形態において、画角調整制御部１５４，３５４は、情報処理装置２００のタッチパネルに入力された画角を指示する操作に応じて、デジタルズームによる画角の調整量（トリミングの範囲）を決定するものとした。
これに対し、情報処理装置２００の画面が縦あるいは横のいずれの向きで使用されているかに応じて、デジタルズームによる画角の調整量を変化させることができる。
具体的には、一般に、撮像装置１００によって撮影される画像は横長の長方形であり、情報処理装置２００の画面は縦長の長方形である。
このような場合、情報処理装置２００の画面を横にして使用している場合に比べ、縦にして使用している場合の方が、同一の画像全体を表示した場合に小さく表示される。
そのため、ユーザによる画角を指示する操作に対して、情報処理装置２００の画面を横にして使用している場合よりも、情報処理装置２００の画面を縦にして使用している場合の方が、画像がより拡大された状態（拡大の度合いがより大きい状態あるいは縮小の度合いがより小さい状態）に画角を調整することができる。
【０１０１】
例えば、画像全体が表示されている状態で同様のピンチアウト操作が行われた場合に、情報処理装置２００の画面を横にして使用している場合では、２０％の拡大を行うのに対し、情報処理装置２００の画面を縦にして使用している場合では、４０％の拡大を行うことが可能である。
なお、情報処理装置２００の画面が縦あるいは横のいずれの高さで使用されているかについては、センサ部２２０の検出結果から判定することができる。
このような処理により、情報処理装置２００の使用状況に合わせて、画角調整をより適切に行うことが可能となる。
【０１０２】
以上のように構成される撮影システム１は、撮像装置１００と、情報処理装置２００と、デジタルズーム制御部１５６（デジタルズーム制御部３５６）とを備える。撮像装置１００は、撮像部１１６と、画像データ送信部１５９と、光学レンズ部１１６ａと、光学ズーム制御部１５５と、画像記録制御部１５８とを備える。情報処理装置２００は、画角指示検出部２５１と、出力部２１８とを備える。
撮像装置１００において、デジタルズーム制御部１５６は、撮像装置１００によって撮像された画像の範囲をトリミングすることで画角調整する。
また、撮像部１１６は、画像を撮像する。
また、画像データ送信部１５９は、撮像部１１６によって撮像された画像を情報処理装置２００へ送信する。
また、光学レンズ部１１６ａは、被写体を撮影するために、光を集光するレンズで構成される。
また、光学ズーム制御部１５５は、撮像される画像について、光学系部材を用いて画角調整する。
情報処理装置２００において、画角指示検出部２５１は、撮像装置１００の撮像部１１６によって撮像された画像について、画角調整指示を検出する。
また、出力部２１８は、画角指示検出部２５１による当該画角調整指示の検出に応答してデジタルズーム制御部１５６によって画角調整された画像を出力する。
また、撮像装置１００において、画像記録制御部１５８は、出力部２１８によって、画角調整された画像が出力された後に、デジタルズーム制御部１５６による調整結果に相当する画角調整を光学ズーム制御部１５５で行ってから画像を記録する。
【０１０３】
これにより、撮影システム１では、情報処理装置２００において、撮像装置１００で撮像された画像（ライブビュー画像等）が表示されている状態で画角を指示する操作が行われた場合、撮像装置１００においては、撮像された画像の範囲をトリミング（デジタルズーム）のみで画角の調整が行える場合には、撮像された画像の範囲をトリミングのみによって画角の調整を行う。
そのため、撮影する画角を決定するために画角を調整する際に、より早く画角を変更できるため、シャッタチャンスを逃し難くすることができる。また、光学ズームを動作させる頻度を低下させ、低消費電力化を図ることができる。
したがって、好適な画角調整を行うことが可能となる。
【０１０４】
また、撮像装置１００は、画角調整制御部１５４を備える。
画角調整制御部１５４は、出力部２１８によって画角調整された画像が出力された後に、記録準備指示を検出すると、デジタルズーム制御部１５６による調整結果に相当する画角調整を光学ズーム制御部１５５で行うよう制御する。
また、画像記録制御部１５８は、記録指示を検出すると画角調整制御部１５４によって調整された状態で画像を記録する。
そのため、情報処理装置２００において、撮像された画像（ライブビュー画像等）が表示されている状態で画角を指示する操作が行われた場合、撮像装置１００においては、撮像された画像の範囲をトリミング（デジタルズーム）のみで画角の調整が行える場合には、撮像された画像の範囲をトリミングのみによって画角の調整を行う。そして、記録準備指示が検出された場合（画角調整のための操作が安定した場合）、撮像装置１００においては、画像の記録を指示する操作が行われる以前に、撮像された画像の範囲のトリミングのみによって調整されていた画角を、光学ズームを用いて調整された状態で画像を記録する。
したがって、撮像装置１００において記録指示信号を受信した場合に、速やかに記録用の画像を撮像することができるため、シャッタチャンスを逃し難くすることができる。
【０１０５】
また、撮像装置１００の画角調整制御部１５４は、出力部２１８によって画角調整された画像が出力された後に、その状態が所定期間維持されると、デジタルズーム制御部１５６による調整結果に相当する画角調整を光学ズーム制御部１５５で行うよう制御する。
そのため、情報処理装置２００において、撮像された画像（ライブビュー画像等）が表示されている状態で画角を指示する操作が行われた場合、撮像装置１００においては、撮像された画像の範囲をトリミング（デジタルズーム）のみで画角の調整が行える場合には、撮像された画像の範囲をトリミングのみによって画角の調整を行う。そして、画角調整が所定時間行われない場合（画角調整のための操作が安定した場合）、撮像装置１００においては、画像の記録を指示する操作が行われる以前に、撮像された画像の範囲のトリミングのみによって調整されていた画角を、光学ズームを用いて調整された状態で画像を記録する。
したがって、撮像装置１００において記録指示信号を受信した場合に、速やかに記録用の画像を撮像することができるため、シャッタチャンスを逃し難くすることができる。
【０１０６】
また、撮像装置１００は、デジタルズーム制御部１５６を備える。
また、情報処理装置２００は、制御信号送信部２５４を備える。
制御信号送信部２５４は、画角指示検出部２５１によって検出された画角調整指示を、撮像装置１００へ送信する。
これにより、情報処理装置２００に入力された画角調整指示に応じて、撮像装置１００において、撮像された画像の範囲をトリミングすることによって画角の調整を行うことが可能となる。
【０１０７】
また、情報処理装置２００は、デジタルズーム制御部３５６と、画角調整制御部３５４とを備える。
画角調整制御部３５４は、画角指示検出部２５１によって検出された画角調整指示に基づき、画像データ送信部１５９から送信された画像についてデジタルズーム制御部３５６を動作させる。
これにより、情報処理装置２００に入力された画角調整指示に応じて、情報処理装置２００において、撮像された画像の範囲をトリミングすることによって画角の調整を行うことが可能となる。
【０１０８】
また、情報処理装置２００は、撮像装置１００に対して、画像の記録指示を行う。
撮像装置１００は、情報処理装置２００によって行われた記録指示を受けて、画像の記録を実行する。
これにより、情報処理装置２００から撮像装置１００に対して画像の記録を指示することによって、遠隔的な撮影を行うことが可能となる。
【０１０９】
また、撮像装置１００は、記録された画像を情報処理装置２００へ送信する。
これにより、遠隔的に制御された撮像装置１００において記録された画像を情報処理装置２００において取得することが可能となる。
【０１１０】
また、撮像装置１００は、電力管理部１５７を備える。
電力管理部１５７は、撮像装置１００が消費可能な電力消費量に関する情報を取得する。
画像データ送信部１５９は、消費可能な電力消費量が所定値以上である場合には、画角指示検出部２５１による画角調整指示を受けると、光学ズーム制御部１５５による画角調整を行ってその調整結果に基づく画像を送信する。
画像記録制御部１５８は、画角調整の後、記録指示を受けると、その画角調整結果で画像を記録する。
そのため、撮像装置１００における消費可能な電力消費量に余裕がある場合に、光学ズーム制御部１５５による画角調整を行うよう制御することが可能となる。
したがって、撮像装置１００における消費可能な電力消費量に余裕がない状態で光学ズームが用いられることで、撮像装置１００の動作可能時間を縮小させる事態を抑制できる。
【０１１１】
また、撮像装置１００は、撮像部１１６と、画像データ送信部１５９と、制御信号受信部１５３と、デジタルズーム制御部１５６と、光学レンズ部１１６ａと、光学ズーム制御部１５５と、画像記録制御部１５８とを備える。
撮像部１１６は、画像を撮像する。
また、画像データ送信部１５９は、撮像部１１６によって撮像された画像を情報処理装置２００へ送信する。
また、制御信号受信部１５３は、情報処理装置２００から送信された制御信号を受信する。
また、デジタルズーム制御部１５６は、制御信号受信部１５３によって受信された制御信号の内容に基づいて、撮像装置１００によって撮像された画像の範囲をトリミングすることで画角調整する。
また、光学レンズ部１１６ａは、被写体を撮影するために、光を集光するレンズで構成される。
また、光学ズーム制御部１５５は、撮像される画像について、光学系部材を用いて画角調整する。
また、画像記録制御部１５８は、出力部２１８によって、画角調整された画像が画像データ送信部１５９によって送信された後に、デジタルズーム制御部１５６による調整結果に相当する画角調整を光学ズーム制御部１５５で行ってから画像を記録する。
【０１１２】
また、情報処理装置２００は、画角指示検出部２５１と、デジタルズーム制御部３５６と、出力部２１８と、画角調整制御部３５４とを備える。
画角指示検出部２５１は、撮像装置１００の撮像部１１６によって撮像された画像について、画角調整指示を検出する。
また、デジタルズーム制御部３５６は、撮像装置１００によって撮像された画像の範囲をトリミングすることで画角調整する。
また、出力部２１８は、画角指示検出部２５１による当該画角調整指示の検出に応答してデジタルズーム制御部３５６によって画角調整された画像を出力する。
画角調整制御部３５４は、デジタルズーム制御部３５６による調整結果を撮像装置１００へ送信し、この調整結果に相当する画角調整を撮像装置１００において光学系部材を用いて調整させるよう制御する。
【０１１３】
また、情報処理装置２００は、画像取得部２５５を備える。
画像取得部２５５は、画角調整制御部３５４によって調整された画角の画像を取得する。
【０１１４】
なお、本発明は、上述の実施形態に限定されるものではなく、本発明の目的を達成できる範囲での変形、改良等は本発明に含まれるものである。
【０１１５】
上述の実施形態では、デジタルズームによる画角の調整を行う場合、撮像装置１００あるいは情報処理装置２００のいずれかにおいて、デジタルズームによる画角の調整を行うものとしたが、これに限られない。即ち、デジタルズームによって行われる画角の調整を、撮像装置１００及び情報処理装置２００の両方において分担して行うこととしてもよい。
【０１１６】
また、上述の実施形態では、本発明が適用される撮像装置１００は、デジタルカメラを例として説明したが、特にこれに限定されない。
例えば、本発明は、撮像機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
同様に、上述の実施形態では、本発明が適用される情報処理装置２００は、スマートフォンを例として説明したが、特にこれに限定されない。
例えば、本発明は、情報処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、デジタルカメラ、ポータブルゲーム機等に適用可能である。
【０１１７】
上述した一連の処理は、ハードウェアにより実行させることもできるし、ソフトウェアにより実行させることもできる。
換言すると、図４，５，８，９の機能的構成は例示に過ぎず、特に限定されない。即ち、上述した一連の処理を全体として実行できる機能が撮像装置１００及び情報処理装置２００に備えられていれば足り、この機能を実現するためにどのような機能ブロックを用いるのかは特に図４，５，８，９の例に限定されない。
また、１つの機能ブロックは、ハードウェア単体で構成してもよいし、ソフトウェア単体で構成してもよいし、それらの組み合わせで構成してもよい。
【０１１８】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１９】
このようなプログラムを含む記録媒体は、ユーザにプログラムを提供するために装置本体とは別に配布される図１，２のリムーバブルメディア１３１，２３１により構成されるだけでなく、装置本体に予め組み込まれた状態でユーザに提供される記録媒体等で構成される。リムーバブルメディア１３１，２３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１，２のＲＯＭ１１２，２１２や、図１の記憶部１１９，２１９に含まれる半導体メモリ等で構成される。
【０１２０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【０１２１】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【０１２２】
以下に、本願の出願当初の特許請求の範囲に記載された発明を付記する。
［付記１］
撮像装置と当該撮像装置を遠隔制御する遠隔制御装置とを含み、当該撮像装置によって撮像された画像の範囲をトリミングすることで画角調整する第１の調整手段を備える撮影システムであって、
前記撮像装置は、
撮像手段と、
この撮像手段によって撮像された画像を前記遠隔制御装置へ送信する送信手段と、
光学系部材と、
撮像される画像について、前記光学系部材を用いて画角調整する第２の調整手段と、
を備え、
前記遠隔制御装置は、
前記撮像装置の前記撮像手段によって撮像された画像について、画角調整指示を検出する検出手段と、
この検出手段による当該画角調整指示の検出に応答して前記第１の調整手段によって画角調整された画像を出力する出力手段と、を備え、
前記撮像装置は更に、
前記出力手段によって、画角調整された画像が出力された後に、前記第１の調整手段による調整結果に相当する画角調整を前記第２の調整手段で行ってから画像を記録する記録制御手段と、
を備えることを特徴とする撮影システム。
［付記２］
前記撮像装置は、
前記出力手段によって画角調整された画像が出力された後に、記録準備指示を検出すると、前記第１の調整手段による調整結果に相当する画角調整を前記第２の調整手段で行うよう制御する第１の調整制御手段を更に備え、
前記記録制御手段は、記録指示を検出すると前記第１の調整制御手段によって調整された状態で画像を記録することを特徴とする付記１に記載の撮影システム。
［付記３］
前記撮像装置は、
前記出力手段によって画角調整された画像が出力された後に、その状態が所定期間維持されると、前記第１の調整手段による調整結果に相当する画角調整を前記第２の調整手段で行うよう制御する第２の調整制御手段を更に備え、
前記記録制御手段は、記録指示を検出すると前記第２の調整制御手段によって調整された状態で画像を記録することを特徴とする付記１に記載の撮影システム。
［付記４］
前記第１の調整手段は前記撮像装置が備え、
前記遠隔制御装置は、
前記検出手段によって検出された前記画角調整指示を、前記撮像装置へ送信する第１の指示送信手段を更に備えることを特徴とする付記１から３のいずれか１つに記載の撮影システム。
［付記５］
前記第１の調整手段は前記遠隔制御装置が備え、
前記遠隔制御装置は、更に、
前記検出手段によって検出された前記画角調整指示に基づき、前記送信手段から送信された画像について前記第１の調整手段を動作させる動作制御手段を備えることを特徴とする付記１から３のいずれか１つに記載の撮影システム。
［付記６］
前記遠隔制御装置は、前記撮像装置に対して、画像の記録指示を行い、
前記撮像装置は、前記遠隔制御装置によって行われた記録指示を受けて、画像の記録を実行することを特徴とする付記１から５のいずれか１つに記載の撮影システム。
［付記７］
前記撮像装置は、記録された画像を遠隔制御装置へ送信することを特徴とする付記１から６のいずれか１つに記載の撮影システム。
［付記８］
前記撮像装置は、
当該撮像装置が消費可能な電力消費量に関する情報を取得する電力管理手段と、
この消費可能な電力消費量が所定値以上である場合には、前記検出手段による画角調整指示を受けると、前記第２の調整手段による画角調整を行ってその調整結果に基づく画像を出力する第２の出力手段と、
前記画角調整の後、記録指示を受けると、その画角調整結果で画像を記録する第２の記録制御手段と、
を更に備えることを特徴とする付記１から７のいずれか１つに記載の撮影システム。
［付記９］
撮像装置と当該撮像装置を遠隔制御する遠隔制御装置とを含む撮影システムにおける撮像装置であって、
撮像手段と、
この撮像手段によって撮像された画像を前記遠隔制御装置へ送信する送信手段と、
前記遠隔制御装置から送信された制御信号を受信する受信手段と、
この受信手段によって受信された制御信号の内容に基づいて、前記撮像手段によって撮像された画像の範囲をトリミングすることで画角調整する第１の調整手段と、
光学系部材と、
撮像される画像について、前記光学系部材を用いて画角調整する第２の調整手段と、
前記第１の調整手段によって画角調整された画像が前記送信手段によって送信された後に、前記第１の調整手段による調整結果に相当する画角調整を前記第２の調整手段で行ってから画像を記録する記録制御手段と、
を備えることを特徴とする撮像装置。
［付記１０］
前記第１の調整手段によって画角調整された画像が出力された後に、記録準備指示を検出すると、前記第１の調整手段による調整結果に相当する画角調整を前記第２の調整手段で行うよう制御する第１の調整制御手段を更に備え、
前記記録制御手段は、記録指示を検出すると前記第１の調整制御手段によって調整された状態で画像を記録することを特徴とする付記９に記載の撮像装置。
［付記１１］
前記第１の調整手段によって画角調整された画像が出力された後に、その状態が所定期間維持されると、前記第１の調整手段による調整結果に相当する画角調整を前記第２の調整手段で行うよう制御する第２の調整制御手段を更に備え、
前記記録制御手段は、記録指示を検出すると前記第２の調整制御手段によって調整された状態で画像を記録することを特徴とする付記９に記載の撮像装置。
［付記１２］
前記記録制御手段は、前記遠隔制御装置によって行われた記録指示を受けて、画像の記録を実行することを特徴とする付記９から１１のいずれか１つに記載の撮像装置。
［付記１３］
前記送信手段は、記録された画像を遠隔制御装置へ送信することを特徴とする付記９から１２のいずれか１つに記載の撮像装置。
［付記１４］
前記撮像装置は当該装置が消費可能な電力消費量に関する情報を取得する電力管理手段と、
この消費可能な電力消費量が所定値以上である場合には、画角調整指示を受けると、前記第２の調整手段による画角調整を行ってその調整結果に基づく画像を出力する第２の出力手段と、
前記画角調整の後、記録指示を受けると、その画角調整結果で画像を記録する第２の記録制御手段と、
を更に備えることを特徴とする付記９から１３のいずれか１つに記載の撮像装置。
［付記１５］
撮像装置と当該撮像装置を遠隔制御する遠隔制御装置とを含む撮影システムにおける遠隔制御装置であって、
前記撮像装置によって撮像された画像について、画角調整指示を検出する検出手段と、
前記撮像装置によって撮像された画像の範囲をトリミングすることで画角調整する第１の調整手段と、
前記検出手段による当該画角調整指示の検出に応答して前記第１の調整手段によって画角調整された画像を出力する出力手段と、
前記第１の調整手段による調整結果を前記撮像装置へ送信し、この調整結果に相当する画角調整を前記撮像装置において光学系部材を用いて調整させるよう制御する調整制御手段と、
を備えることを特徴とする遠隔制御装置。
［付記１６］
前記調整制御手段によって調整された画角の画像を取得する画像取得手段を更に備えることを特徴とする付記１５に記載の遠隔制御装置。
［付記１７］
前記検出手段は、前記出力手段によって画角調整された画像が出力された後に、画像の記録準備指示あるいは画像の記録指示を更に検出し、
前記撮像装置に対して、検出した前記記録準備指示あるいは前記記録指示を行うことを特徴とする付記１５または１６に記載の遠隔制御装置。
［付記１８］
前記検出手段によって検出された前記画角調整指示に基づき、前記撮像装置から送信された画像について前記第１の調整手段を動作させる動作制御手段を備えることを特徴とする付記１５から１７のいずれか１つに記載の遠隔制御装置。
［付記１９］
撮像装置と当該撮像装置を遠隔制御する遠隔制御装置とを含み、当該撮像装置によって撮像された画像の範囲をトリミングすることで画角調整する第１の調整ステップを実行する撮影システムにおける撮影方法であって、
前記撮像装置において、
撮像手段によって撮像された画像を前記遠隔制御装置へ送信する送信ステップと、
撮像される画像について、光学系部材を用いて画角調整する第２の調整ステップと、
を含み、
前記遠隔制御装置において、
前記撮像装置の撮像手段によって撮像された画像について、画角調整指示を検出する検出ステップと、
当該画角調整指示の検出に応答して前記第１の調整ステップにおいて画角調整された画像を出力する出力ステップと、を含み、
前記撮像装置において、更に、
前記出力ステップにおいて画角調整された画像が出力された後に、前記第１の調整ステップにおける調整結果に相当する画角調整を前記第２の調整ステップで行ってから画像を記録する記録制御ステップと、
を含むことを特徴とする撮影方法。
［付記２０］
撮像装置と当該撮像装置を遠隔制御する遠隔制御装置とを含む撮影システムにおける撮像装置が実行する撮影方法であって、
撮像手段によって撮像された画像を前記遠隔制御装置へ送信する送信ステップと、
前記遠隔制御装置から送信された制御信号を受信する受信ステップと、
この受信ステップにて受信された制御信号の内容に基づいて、前記撮像手段によって撮像された画像の範囲をトリミングすることで画角調整する第１の調整ステップと、
撮像される画像について、光学系部材を用いて画角調整する第２の調整ステップと、
前記第１の調整ステップにて画角調整された画像が前記送信ステップにて送信された後に、前記第１の調整ステップでの調整結果に相当する画角調整を前記第２の調整ステップで行ってから画像を記録する記録制御ステップと、
を含むことを特徴とする撮影方法。
［付記２１］
撮像装置と当該撮像装置を遠隔制御する遠隔制御装置とを含む撮影システムにおける遠隔制御装置が実行する撮影方法であって、
前記撮像装置によって撮像された画像について、画角調整指示を検出する検出ステップと、
前記撮像装置によって撮像された画像の範囲をトリミングすることで画角調整する調整ステップと、
前記検出ステップにおける当該画角調整指示の検出に応答して前記調整ステップにおいて画角調整された画像を出力する出力ステップと、
前記調整ステップでの調整結果を前記撮像装置へ送信し、この調整結果に相当する画角調整を前記撮像装置において光学系部材を用いて調整させるよう制御する調整制御ステップと、
を含むことを特徴とする撮影方法。
［付記２２］
撮像装置と当該撮像装置を遠隔制御する遠隔制御装置とを含む撮影システムにおける撮像装置を制御するコンピュータを、
撮像手段によって撮像された画像を前記遠隔制御装置へ送信する送信手段、
前記遠隔制御装置から送信された制御信号を受信する受信手段、
この受信手段によって受信された制御信号の内容に基づいて、前記撮像手段によって撮像された画像の範囲をトリミングすることで画角調整する第１の調整手段、
撮像される画像について、光学系部材を用いて画角調整する第２の調整手段、
前記第１の調整手段によって画角調整された画像が前記送信手段によって送信された後に、前記第１の調整手段による調整結果に相当する画角調整を前記第２の調整手段で行ってから画像を記録する記録制御手段、
として機能させることを特徴とするプログラム。
［付記２３］
撮像装置と当該撮像装置を遠隔制御する遠隔制御装置とを含む撮影システムにおける遠隔制御装置を制御するコンピュータを、
前記撮像装置によって撮像された画像について、画角調整指示を検出する検出手段、
前記撮像装置によって撮像された画像の範囲をトリミングすることで画角調整する調整手段、
前記検出手段による当該画角調整指示の検出に応答して前記調整手段によって画角調整された画像を出力する出力手段、
前記調整手段による調整結果を前記撮像装置へ送信し、この調整結果に相当する画角調整を前記撮像装置において光学系部材を用いて調整させるよう制御する調整制御手段、
として機能させることを特徴とするプログラム。
【符号の説明】
【０１２３】
１・・・撮影システム，１００・・・撮像装置，１１１、２１１・・・ＣＰＵ，１１２、２１２・・・ＲＯＭ，１１３、２１３・・・ＲＡＭ，１１４、２１４・・・バス，１１５、２１５・・・入出力インターフェース，１１６、２１６・・・撮像部，１１６ａ、２１６ａ・・・光学レンズ部、１１６ｂ、２１６ｂ・・・イメージセンサ，１１７、２１７・・・入力部，１１８、２１８・・・出力部，１１９、２１９・・・記憶部，１２０、２２１・・・通信部，１２１、２２２・・・ドライブ，１３１、２３１・・・リムーバブルメディア，２２０・・・センサ部，１５１・・・画像取得部，１５２・・・撮影制御部，１５３・・・制御信号受信部，１５４，３５４・・・画角調整制御部，１５４ａ・・・画角調整判定部，１５５・・・光学ズーム制御部，１５６，３５６・・・デジタルズーム制御部，１５７・・・電力管理部，１５８・・・画像記録制御部，１５９・・・画像データ送信部，２５１・・・画角指示検出部，２５２・・・記録準備指示検出部，２５３・・・記録指示検出部，２５４・・・制御信号送信部，２５５・・・画像取得部
【図１】
2015118309.tif 000003
【図２】
2015118309.tif 000004
【図３】
2015118309.tif 000005
【図４】
2015118309.tif 000006
【図５】
2015118309.tif 000007
【図６】
2015118309.tif 000008
【図７】
2015118309.tif 000009
【図８】
2015118309.tif 000010
【図９】
2015118309.tif 000011
【図１０】
2015118309.tif 000012
【図１１】
2015118309.tif 000013
【図１２】
2015118309.tif 000014